(57)【要約】【課題】本発明の課題は、高速回転時における振動を低減することのできる電動機を提供することにある。【解決手段】本発明の電動機は、電機子鉄心４０に電機子巻線３６が巻回された電機子３２が、回転可能に固定子内に配置された電動機において、前記電機子３２の前記電機子鉄心４０の端面上に位置する電機子巻線３６と、前記電機子鉄心４０とを絶縁するインシュレータ５０を備え、前記インシュレータ５０は、前記電機子鉄心４０のコアバック部４１に当接するコアバック絶縁部５１に、前記電機子巻線３６を受け入れる略円環状の凹部５４が形成されていることを特徴とする。【選択図】図６
2011135736.tif 000002
【特許請求の範囲】
【請求項１】
回転軸と同心になるように取り付けられた円柱状のコアバック部と、このコアバック部の外周面に沿って放射状に複数延出したティース部とを有する電機子鉄心と、
前記電機子鉄心に巻回された電機子巻線と、
前記電機子巻線と電気的に接続された整流子と、を有する電機子が、
前記回転軸の両端を軸受で支承され、前記回転軸周りに回転可能に固定子内に配置された電動機において、
前記軸受に対向する前記電機子鉄心の端面に配置されて、前記電機子鉄心の前記端面上に位置する前記電機子巻線と、前記電機子鉄心と、を絶縁するインシュレータを更に備え、
前記インシュレータは、前記コアバック部に当接する部分の前記軸受側の面に、前記電機子巻線を受け入れる略円環状の凹部が形成されていることを特徴とする電動機。
【請求項２】
請求項１に記載の電動機において、前記インシュレータの前記凹部は、前記回転軸の中心に沿った断面視で、前記電機子鉄心側を短辺とした台形を呈するように形成されていることを特徴とする電動機。
【請求項３】
請求項１に記載の電動機において、前記インシュレータの前記凹部は、前記回転軸の中心に沿った断面視で、前記電機子鉄心側を凸とした円弧を呈するように形成されていることを特徴とする電動機。
【請求項４】
請求項１に記載の電動機において、前記インシュレータは少なくとも２部材を一体にして形成され、前記インシュレータの前記凹部は、前記ティース部に当接する部分を形成する絶縁部材よりも薄い絶縁性フィルム部材を前記コアバック部に当接する部分に配置して形成したことを特徴とする電動機。
【請求項５】
請求項１に記載の電動機において、前記インシュレータの前記凹部は、略円環状の前記凹部から前記インシュレータの前記ティース部に当接する部分に延出するように形成されて、平面視で歯車状に形成されていることを特徴とする電動機。
【請求項６】
請求項１から請求項５のいずれか１項に記載の電動機を備えることを特徴とする電動送風機。
【請求項７】
請求項６に記載の電動送風機を備えることを特徴とする電気掃除機。
【発明の詳細な説明】
【技術分野】
【０００１】
本発明は、電動機、並びにこの電動機を備える電動送風機及び電気掃除機に関する。
【背景技術】
【０００２】
一般に、電動機は電機子の回転軸（シャフト）の両端がそれぞれ軸受で支承され、電機子が固定子の内側で回転するように構成されている。この電機子は、電機子鉄心を備えており、電機子鉄心は、回転軸に取り付けられた円柱状のコアバック部と、このコアバック部の周方向に沿ってその外周面に等間隔に複数並ぶように配置されたティース部とで構成されている。そして、各ティース部には電機子巻線が巻回され、ティース部同士の間に形成されるスロット内には巻回した電機子巻線が充填されている。
ところで、このような電機子の電機子鉄心及び回転軸には、電機子巻線との絶縁を確保するために、絶縁部材が設けられている（例えば、特許文献１から特許文献５参照）。この絶縁部材について更に詳しく説明する。
【０００３】
次に参照する図１０は、従来の電動機において、絶縁部材を配置した様子を模式的に示す断面模式図である。
図１０に示すように、従来の電機子１３２においては、電機子鉄心１４０のティース部１４２に巻回された電機子巻線１３６は、スロット１４３内に充填されると共に、スロット１４３から出て電機子鉄心１４０の端面で盛り上がる。この盛り上がった電機子巻線１３６は、軸受１３４寄りに所定の高さｈでコイルエンドを規定する。
【０００４】
このような電機子１３２においては、回転軸１３５と電機子巻線１３６とを絶縁する軸絶縁筒１５３と、スロット１４３の内壁と電機子巻線１３６とを絶縁するスロット絶縁体１４４と、電機子鉄心１４０の端面と電機子巻線１３６とを絶縁する当板１５１とを備えている。
そして、当板１５１は、電機子鉄心１４０に電機子巻線１３６を巻回した際に、電機子鉄心１４０と電機子巻線１３６とが接近し易いコアバック部１４１の外縁角部１４１ａに、当板１５１の厚さで所定の絶縁距離Ｌ１を確保している。ちなみに、この絶縁距離Ｌ１、及び軸受１３４と前記したコイルエンドとの絶縁距離Ｌ２は、ＪＩＳ規格により１．５ｍｍ以上確保することが定められている。
【０００５】
また、図示しないが、特許文献５の電機子においては、当板１５１にリブ状の凸部を形成することによって、巻回した電機子巻線１３６が当板１５１の板面に接触しないようにし、電機子巻線１３６の放熱性を高めている。このような特許文献５の電機子によれば、当板１５１に設けたリブ状の凸部の高さが当板１５１の厚さに加算されることによって、より確実に絶縁距離Ｌ１を確保することができる。
【先行技術文献】
【特許文献】
【０００６】
【特許文献１】特開昭５０−５６５０４号公報
【特許文献２】特開平６−１５３４３２号公報
【特許文献３】特開平１０−２４８２１４号公報
【特許文献４】特開平１０−２５７７２１号公報
【特許文献５】特開平１−２８３０３７号公報
【発明の概要】
【発明が解決しようとする課題】
【０００７】
ところで、昨今の電動機においては、これを搭載する電気掃除機、電動工具等の装置や器具の高出力化が図られている。特に、電気掃除機の電動機においては、４００００ｒｐｍを超える高速回転が可能となっている。
そして、回転速度が高められると電動機の振動が増大するところ、電気掃除機等の家電製品に使用される電動機においては、高速回転が可能でありながらも低振動のものが望まれる。
【０００８】
そこで、例えば、電動機の高出力化を達成しつつ小型軽量化を図ることで低振動の電動機を実現することができると考えられる。具体的には、スロット１４３内における電機子巻線１３６の占積率を許す限り大きくしつつ、よりコンパクトな電機子１３２を有する電動機が考えられる。
【０００９】
しかしながら、従来の電動機（例えば、特許文献１から特許文献５参照）の電機子１３２は、コアバック部１４１の外縁角部１４１ａに所定の絶縁距離Ｌ１を確保するために、所定の厚さ（Ｌ１）の当板１５１を電機子鉄心１４０の端面に配置している。
したがって、スロット１４３内における電機子巻線１３６の占積率を大きく設定するほど、電機子鉄心１４０の端面で盛り上がる電機子巻線１３６の嵩高（コイルエンド高さｈ）が大きくなる。特に、絶縁距離Ｌ１を大きく確保する特許文献５の電動機はこの傾向が顕著となる。
つまり、従来の電動機（例えば、特許文献１から特許文献５参照）の電機子１３２においては、前記したように、軸受１３４と前記したコイルエンドとの絶縁距離Ｌ２についても下限値が設定されていることを考慮すると、電機子巻線１３６のスロット内の占積率を大きく設定することで（高出力化を図ることで）、軸受１３４，１３４同士の間の回転軸１３５の長さが長くなって、高速回転時の振動が大きくなる問題がある。
【００１０】
そこで、本発明の課題は、高速回転時における振動を低減することのできる電動機、並びにこの電動機を備える電動送風機及び電気掃除機を提供することにある。
【課題を解決するための手段】
【００１１】
前記課題を解決した本発明の電動機は、回転軸と同心になるように取り付けられた円柱状のコアバック部と、このコアバック部の外周面に沿って放射状に複数延出したティース部とを有する電機子鉄心と、前記電機子鉄心に巻回された電機子巻線と、前記電機子巻線と電気的に接続された整流子と、を有する電機子が、前記回転軸の両端を軸受で支承され、前記回転軸周りに回転可能に固定子内に配置された電動機において、前記軸受に対向する前記電機子鉄心の端面に配置されて、前記電機子鉄心の前記端面上に位置する前記電機子巻線と、前記電機子鉄心と、を絶縁するインシュレータを更に備え、前記インシュレータは、前記コアバック部に当接する部分の前記軸受側の面に、前記電機子巻線を受け入れる略円環状の凹部が形成されていることを特徴とする。
【００１２】
また、前記課題を解決した本発明の電動送風機は、前記電動機を備えることを特徴とする。
【００１３】
また、前記課題を解決した本発明の電気掃除機は、前記電動送風機を備えることを特徴とする。
【発明の効果】
【００１４】
本発明によれば、高速回転時における振動を低減することのできる電動機、並びにこの電動機を備える電動送風機及び電気掃除機を提供することができる。
【図面の簡単な説明】
【００１５】
【図１】本発明の実施形態に係る電気掃除機を模式的に示す横断面図である。
【図２】図１の電気掃除機に搭載した電動送風機の横断面図である。
【図３】実施形態に係る電動機における電機子の斜視図である。
【図４】実施形態に係る電動機における電機子の電機子鉄心の平面図である。
【図５】実施形態に係る電動機における電機子のインシュレータの斜視図である。
【図６】実施形態に係る電動機における電機子のインシュレータに形成された凹部を説明するための部分拡大断面図である。
【図７】インシュレータの変形例を示す部分拡大断面図である。
【図８】インシュレータの変形例を示す部分拡大断面図である。
【図９】インシュレータの変形例を示す斜視図である。
【図１０】従来の電動機において、絶縁部材を配置した様子を模式的に示す部分的に切欠き断面を含む模式図である。
【発明を実施するための形態】
【００１６】
以下に、本発明の実施形態について適宜図面を参照しながら詳細に説明する。
本発明は、後に詳しく説明するように、電動機の電機子において、電機子鉄心の端面で電機子巻線と電機子鉄心とを絶縁するインシュレータに、電機子巻線を受け入れる凹部を形成したことを主な特徴とする。ここではこの電動機が組み込まれた電動送風機を備える電気掃除機について説明した後に、電動送風機及び電動機をこの順番に説明する。なお、以下の説明における前後の方向は、図１に示す前後の方向を基準とする。
【００１７】
（電気掃除機）
図１に示すように、本実施形態に係る電気掃除機１０は、所定のケースＣ内の前側に集塵室１２が区画されると共に、後側に電動送風機室１５が区画されている。この集塵室１２と電動送風機室１５とは、フィルタ部１４を介して連通している。
【００１８】
集塵室１２には、紙パック１３が収納されている。この紙パック１３の開口はホース継ぎ手１１側に位置するように配置されている。ちなみに、図示しないが、このホース継ぎ手１１にはホースの一端が接続され、このホースの他端には、手元操作部、延長管及び吸口体がこの順番に接続される。
【００１９】
電動送風機室１５には、電動送風機２０が収納されている。この電動送風機２０は、その前側に形成された後記する送風機入口２１ａがフィルタ部１４側に向くように、そして、その後側に形成された後記する送風機出口２２ａが電動送風機室１５の後端側に向くように配置され、防振ゴム１７を介して電動送風機室１５内に懸架されている。
【００２０】
この電気掃除機１０は、後記する電動送風機２０が送風機入口２１ａから吸い込んだ空気を昇圧した後に送風機出口２２ａから排出する。この際、送風機出口２２ａから排出された空気は、ケースＣに形成された図示しない排気口からケースＣ外に排出される。
【００２１】
その一方で、電気掃除機１０は、電動送風機２０が空気を送風機入口２１ａから吸い込むことによって、塵埃を同伴する空気を、前記した吸口体（図示省略）等を介してホース継ぎ手１１側から集塵室１２内に吸引する。吸引された塵埃を同伴する空気は、紙パック１３内に導入される。そして、紙パック１３でろ過された空気は、フィルタ部１４を介して前記した電動送風機２０の送風機入口２１ａから吸い込まれることとなる。この際、集塵室１２内に吸引された空気に同伴する塵埃の大部分は、紙パック１３で取り除かれると共に、フィルタ部１４を空気が通過することによって細かな塵埃も取り除かれる。
なお、本実施形態の電気掃除機１０では、紙パック１３を使用する方式について説明しているが、本発明はサイクロン方式のものであってもよい。ちなみに、サイクロン方式の電気掃除機は、集塵室１２に対応する部分にサイクロン室が形成されることとなる。
【００２２】
（電動送風機）
次に、本実施形態に係る電動送風機２０について説明する。
図２に示すように、電動送風機２０は、前方に配置されるファンケーシング２１と後方に配置されるハウジング２２とが一体となって略円筒形状の外郭を形成すると共に、この外郭内に送風機構２３と後記する電動機３０とを備えて構成されている。
【００２３】
ファンケーシング２１は、その前側に、ファンケーシング２１内に空気を流入させる送風機入口２１ａ（目玉部ともいう）を有しており、ハウジング２２は、ファンケーシング２１の送風機入口２１ａから吸入した空気を排出する送風機出口２２ａ（図２中、仮想線で示す）を有している。
【００２４】
送風機構２３は、遠心ファン２４とディフューザ２５とを備え、ファンケーシング２１内に格納されている。
遠心ファン２４は、後記する電動機３０の回転軸３５にナット等の締結具で固定され、起動した電動機３０によって回転軸３５周りに回転するようになっている。
ディフューザ２５は、遠心ファン２４の遠心方向に配置されたディフューザベーン２５ａと、このディフューザベーン２５ａの後方に、仕切板２５ｂを介して配置されたリターンガイドベーン２５ｃとで構成されている。
【００２５】
以上のような電動送風機２０では、電動機３０によって回転した遠心ファン２４は、送風機入口２１ａから吸い込んだ空気を昇圧して吸込気流を発生させ、ディフューザ２５は吸込気流をハウジング２２内の風路に導く。その後、吸込気流は、前記したように、送風機出口２２ａ（図１参照）を介して排出される。
【００２６】
（電動機）
次に、電動送風機２０を構成する電動機３０について更に詳しく説明する。
本実施形態に係る電動機３０は、図２に示すように、固定子３１と、電機子３２と、ブラシ３３とを備えて構成され、ハウジング２２内に格納されている。
【００２７】
固定子３１は、電機子３２の周囲を取り囲むように配置される固定子鉄心３１ａと、この固定子鉄心３１ａに巻回された界磁巻線３１ｂとを備えて構成されている。
【００２８】
電機子３２は、後に詳しく説明するが、固定子３１の内側で前後方向に延びるように配置され、その両端を軸受３４で支承される回転軸３５と、この回転軸３５に取り付けられる電機子鉄心４０と、この電機子鉄心４０に巻回された電機子巻線３６と、電機子巻線３６と電気的に接続されると共に回転軸３５の後部に取り付けられる整流子３７とを備えている。
なお、固定子鉄心３１ａの内周面と電機子鉄心４０の外周面とは、所定のギャップを有するように配置されている。
【００２９】
ブラシ３３は、本実施形態に係る電動機３０においては、整流子３７を挟むように一対設けられ、これらはハウジング２２の後部に取り付けられたブラシホルダ３８に保持されている。また、ブラシ３３は、回転軸３５と共に回転する整流子３７に対して摺接可能となっていると共に、固定子３１の界磁巻線３１ｂと電気的に接続されている。
【００３０】
この電動機３０においては、この電動機３０の図示しない端子間に商用交流電圧が印加されると、電動機電流は、界磁巻線３１ｂを介してブラシ３３に流れる。また、ブラシ３３と整流子３７との摺接によって電機子３２の電機子巻線３６に電流が流れる。この際、整流子３７の整流作用に基づいて固定子３１及び電機子３２にそれぞれ生起した磁束の相互作用によって、固定子３１の内側で電機子３２が電動機電流の大きさに応じた所定の回転速度及びトルクで回転する。
【００３１】
次に、電動機３０の電機子３２について更に詳しく説明する。次に参照する図３は、本実施形態に係る電動機における電機子の斜視図であり、図４は、電機子鉄心の平面図であり、図５は、インシュレータの斜視図であり、図６は、インシュレータに形成された凹部を説明するための断面図である。
なお、図３中、作図の便宜上、電機子巻線の記載は省略している。
【００３２】
電機子３２は、図３に示すように、略円柱状の外形を有する電機子鉄心４０と、略円柱状の外形を有する整流子３７とが、回転軸３５と同心になるように取り付けられて構成されている。また、電機子３２は、電機子鉄心４０の端面に、具体的には、図２に示す軸受３４に対向する面に、インシュレータ５０を更に備えている。
【００３３】
電機子鉄心４０は、図４に示すように、平面形状が回転軸３５（図３参照）と同心の円となる円柱形状のコアバック部４１と、このコアバック部４１の外周に沿って放射状に複数延出したティース部４２とで構成されている。
ちなみに、コアバック部４１の中心には、回転軸３５（図３参照）の挿通孔４１ａが形成されている。この挿通孔４１ａの内径は、回転軸３５の外径よりもやや小さめに形成されており、この挿通孔４１ａに回転軸３５が圧入されることで、電機子鉄心４０は回転軸３５に固定される。
【００３４】
また、ティース部４２は、コアバック部４１から延出する延出部４２ａと、延出部４２ａの先端で電機子鉄心４０の外周面を形成する周面形成部４２ｂとで形成されている。
【００３５】
このような隣接するティース部４２同士の間には、スロット４３が形成されている。
このスロット４３の内壁面には、図３に示すように、スロット絶縁体４４が配置され、電機子巻線３６（図２参照）は、このスロット絶縁体４４を介してティース部４２に巻回され、スロット４３内の前後方向に電機子巻線３６の束が延在することとなる。
なお、図３中、符号４５は、スロットクサビであり、電機子巻線３６（図２参照）がスロット４３内から飛び出さないようにするものである。
ちなみに、図示しないが、ティース部４２に巻回されてスロット４３内から延出する電機子巻線３６は、電機子鉄心４０の端面上、言い換えれば、軸受３４（図２参照）に対向する端面上に配置されて、この端面上で盛り上がることとなる。
【００３６】
整流子３７は、図３に示すように、複数の短冊状の整流子片３７ａが回転軸３５周りに等間隔に並ぶように配置されている。この整流子片３７ａには、ティース部４２（図４参照）に巻回された電機子巻線３６（図２参照）の端部が電気的に接続されている。
【００３７】
インシュレータ５０は、前記したように、電機子鉄心４０の端面上で盛り上がるように配置された電機子巻線３６と、電機子鉄心４０とを絶縁するものである。
【００３８】
インシュレータ５０は、図３に示すように、電機子鉄心４０のコアバック部４１（図４参照）に当接してコアバック部４１と電機子巻線３６とを絶縁するコアバック絶縁部５１と、電機子鉄心４０のティース部４２（図４参照）に当接してティース部４２と電機子巻線３６とを絶縁するティース絶縁部５２と、回転軸３５の周面に当接して回転軸３５と電機子巻線３６とを絶縁する回転軸絶縁部５３とを備えている。本実施形態でのこれらの絶縁部５１，５２，５３は一体に成形されている。
なお、このコアバック絶縁部５１は、特許請求の範囲にいう「コアバック部に当接する部分」に相当し、ティース絶縁部５２は、特許請求の範囲にいう「ティース部に当接する部分」に相当する。
【００３９】
図５に示すように、コアバック絶縁部５１は、電機子鉄心４０のコアバック部４１（図４参照）と略同じ平面形状を有する板体で形成されると共に、ティース絶縁部５２は、ティース部４２の延出部４２ａ（図４参照）と略同じ平面形状を有する板体で形成されており、コアバック絶縁部５１とティース絶縁部５２は一体となって歯車状に形成されている。
【００４０】
また、回転軸絶縁部５３は、円筒状に形成されている。ちなみに、本実施形態での回転軸絶縁部５３の内径は、コアバック部４１の挿通孔４１ａ（図４参照）の内径と同じに設定されている。したがって、電機子鉄心４０（図４参照）とインシュレータ５０との平面形状が相互に一致するように重ね合わせて、これらを一体にして回転軸３５（図３参照）に圧入することで、電機子鉄心４０とインシュレータ５０とは一体となって回転軸３５に固定される。
【００４１】
そして、インシュレータ５０は、図５に示すように、平面視で略円環状の凹部５４を有している。
更に詳しく説明すると、図６に示すように、この凹部５４は、コアバック部４１に当接するコアバック絶縁部５１の軸受３４に対向する面に形成され、スロット４３から延出して電機子鉄心４０の端面上で盛り上がる電機子巻線３６の一部を受け入れている。
この凹部５４は、回転軸３５の中心に沿った断面視で、電機子鉄心４０側を短辺とした台形を呈するように形成されている。
【００４２】
このようなインシュレータ５０の材質としては、剛性を有する絶縁材であれば特に制限はなく、例えば、絶縁性プラスチックが挙げられる。
【００４３】
図６中、符号４１ａはコアバック部４１の外縁角部であり、符号４４はスロット絶縁体であり、符号５２はティース絶縁部であり、符号５３は回転軸絶縁部、符号Ｌ１は外縁角部４１ａで確保するコアバック部４１と電機子巻線３６との絶縁距離であり、符号Ｌ２は、軸受３４と電機子巻線３６のコイルエンドとの間で確保する絶縁距離であり、符号ｈは、コアバック部４１から電機子巻線３６のコイルエンドまでの長さで規定されるコイルエンド高さである。
なお、図６中、凹部５４に受け入れられている電機子巻線３６の数は、現実の数を示すものではなく、凹部５４の深さＤ及び電機子巻線３６の径に応じて変動する。
【００４４】
以上のような本実施形態に係る電動機３０は、次のような作用効果を奏することができる。
この電動機３０においては、図６に示すように、電機子鉄心４０のティース部４２に巻回された電機子巻線３６は、スロット４３内に充填されると共に、スロット４３から延出して電機子鉄心４０の端面上で盛り上がる。この盛り上がった電機子巻線３６は、軸受３４寄りに所定の高さｈでコイルエンドを規定する。
【００４５】
このような電機子３２においては、スロット絶縁体４４がスロット４３の内壁と電機子巻線１３６とを絶縁する。
【００４６】
また、電機子３２においては、電機子鉄心４０の端面に配置されたインシュレータ５０が、スロット４３から延出して電機子鉄心４０の端面上で盛り上がった電機子巻線３６と、回転軸３５及び電機子鉄心４０とを絶縁する。
【００４７】
更に詳しく説明すると、インシュレータ５０の回転軸絶縁部５３が回転軸３５と盛り上がった電機子巻線３６とを絶縁し、インシュレータ５０のコアバック絶縁部５１がコアバック部４１と盛り上がった電機子巻線３６とを絶縁し、インシュレータ５０のティース絶縁部５２がティース部４２と盛り上がった電機子巻線３６とを絶縁する。
【００４８】
その一方で、この電動機３０においては、例えば、スロット４３内における電機子巻線３６の占積率を高めて電動機３０の高出力化を達成しようとした際に、スロット４３内から出て電機子鉄心４０の端面上で盛り上がる電機子巻線３６は、より嵩高となって、コイルエンド高さｈは、より高くなる。
その結果、従来の電動機の電機子１３２（図１０参照）においては、軸受１３４，１３４間の回転軸１３５の長さが長くなって、高速回転時の振動が大きくなることは前記したとおりである。
【００４９】
これに対して、本実施形態に係る電動機３０の電機子３２は、図６に示すように、凹部５４内に盛り上がった電機子巻線３６の一部を受け入れるので、従来の電機子１３２（図１０参照）と比較して、凹部５４の深さＤに応じてコイルエンド高さｈが低くなる。そして、図６に示す絶縁距離Ｌ１及び絶縁距離Ｌ２は、従来の電動機の電機子１３２（図１０参照）と同様に、ＪＩＳ規格等で定められた絶縁距離Ｌ１及び絶縁距離Ｌ２を確保可能となっている共に、軸受３４，３４間の回転軸３５の長さを短くすることができる。
【００５０】
また、この電機子３２の凹部５４は、断面視で電機子鉄心４０側を短辺とした台形を呈するように形成されているので、電機子鉄心４０に電機子巻線３６を巻回する際に、凹部５４に電機子巻線３６が受け入れられ易くなっている。
【００５１】
このような本実施形態に係る電動機３０によれば、凹部５４に電機子巻線３６を受け入れてコイルエンド高さｈを低くすることができるので、高出力化を達成して高速回転が可能となっても、その高速回転時における振動を低減することができる。
【００５２】
また、このような電動機３０を備える電動送風機２０及び電気掃除機１０によれば、電動機３０の高速回転によって、送風量及び吸込出力が増大しても、電動送風機２０及び電気掃除機１０の振動を低減することができる。
【００５３】
以上、本発明の実施形態について説明したが、本発明は前記実施形態に限定されず、種々の他の形態で実施することができる。なお、以下に本発明の他の実施形態について説明するが、前記実施形態と同一の構成要素については同一の符号を付してその詳細な説明は省略する。
【００５４】
前記実施形態では、インシュレータ５０（図６参照）は、単一の材料で一体に成形され、その凹部５４は、平面視で円環状を呈し、断面視で電機子鉄心４０側を短辺とした台形を呈するように形成されているが、インシュレータ５０の材料及び凹部５４の形状は、種々の形態で実施することができる。
【００５５】
次に参照する図７及び図８は、インシュレータの変形例を示す断面図、図９はインシュレータの変形例を示す斜視図である。
図７に示すように、この電機子３２のインシュレータ５０の凹部５４は、回転軸３５の中心に沿った断面視で、電機子鉄心４０側を凸とした円弧を呈するように形成されている。この電機子３２によれば、前記実施形態に係る台形の凹部５４（図６参照）を備えるものよりも、盛り上がった電機子巻線３６が凹部５４内に、より受け入れられ易くなっている。
【００５６】
また、インシュレータ５０は、図８に示すように、２部材以上で形成することができる。具体的には、インシュレータ５０は、回転軸絶縁部５３が絶縁性プラスチックで形成されていると共に、コアバック絶縁部５１のうち、凹部５４を囲む円環状の土手部分５１ａが絶縁性プラスチックで形成されている。そして、凹部５４の底を形成するように、コアバック部４１と当接する部分５１ｂが薄い絶縁性フィルム部材で形成されている。
【００５７】
また、このインシュレータ５０は、ティース部４２に当接するティース絶縁部５２が絶縁性プラスチックで形成されており、図示しないが、ティース絶縁部５２と土手部分５１ａ部分とは一体に成形されている。
そして、回転軸絶縁部５３と土手部分５１ａ部分とが、コアバック部４１と当接する部分５１ｂを形成する絶縁性フィルム部材で接合されている。この接合は、接着剤による接着や熱融着等の公知の接合方法で行うことができる。
【００５８】
この電機子３２によれば、前記実施形態に係る台形の凹部５４（図６参照）の深さＤよりも深い、深さＤａの凹部５４を形成することができるので、コイルエンド高さｈを更に低くすることができる。その結果、この電機子３２によれば、軸受３４，３４間の回転軸３５の長さを更に短くすることができるので、より振動を低減することができる。
【００５９】
また、インシュレータ５０の凹部５４は、図９に示すように、前記した略円環状の凹部５４（図６参照）からティース部４２（図４参照）に当接するティース絶縁部５２に延出するように形成されて、平面視で歯車状に形成することができる。
【００６０】
この電機子３２によれば、図６に示す略円環状の凹部５４よりも、容積の大きい凹部５４となるので、コイルエンド高さｈを更に低くすることができる。その結果、この電機子３２によれば、軸受３４，３４間の回転軸３５の長さを更に短くすることができるので、より振動を低減することができる。
【００６１】
また、前記実施形態では、電動機３０の回転軸３５が前後方向に延在するように配置されているが、回転軸３５の延在方向はこれに限定されず、上下又は左右であってもよいし、前後方向に対して所定の角度で傾斜していてもよい。
【００６２】
また、前記実施形態では、電気掃除機１０に使用する電動機３０について説明したが、本発明は、洗濯乾燥機、エアコンディショナ、冷蔵庫、扇風機、電動工具等の他の家電製品に使用する電動機や、エレベータ、エスカレータ等の設備機器に使用する電動機、電気自動車、電車等の車両に使用する電動機に適用することができる。
【符号の説明】
【００６３】
１０    電気掃除機
２０    電動送風機
３０    電動機
３１    固定子
３２    電機子
３３    ブラシ
３４    軸受
３５    回転軸
３６    電機子巻線
３７    整流子
４０    電機子鉄心
４１    コアバック部
４２    ティース部
４３    スロット
４４    スロット絶縁体
５０    インシュレータ
５１    コアバック絶縁部
５２    ティース絶縁部
５３    回転軸絶縁部
５４    凹部
【図１】
2011135736.tif 000003
【図２】
2011135736.tif 000004
【図３】
2011135736.tif 000005
【図４】
2011135736.tif 000006
【図５】
2011135736.tif 000007
【図６】
2011135736.tif 000008
【図７】
2011135736.tif 000009
【図８】
2011135736.tif 000010
【図９】
2011135736.tif 000011
【図１０】
2011135736.tif 000012